(57)【要約】【課題】複数のモジュールからなるパネルシート全体の防湿構造、特にパネルシートからリード材を取り出す構造に工夫を凝らして簡単な構造で防湿性を高めると共に厚みを薄くし、セル及びモジュールの電圧出力の低下防止を図り性能を安定させ、かつ、フレキシブルな色素増感型太陽電池パネルシートを提供する。【解決手段】可撓性の基材上に形成された複数の色素増感型太陽電池セルが電気的に直列接続してなるフレキシブル性を有するモジュール３を、複数列状に配置し、ポリオレフィン系樹脂が最内層に積層された少なくとも１枚以上のフレキシブルな防湿フィルム４，５にて挟み電気的に直列接続してパネルシートを構成し、防湿フィルム４，５の周縁の少なくとも２箇所に金属薄板からなるリード材１の貫通している貫通部を設け、該貫通部を含めて前記防湿フィルム４，５の周縁の全周を、真空加熱による熱シールにより封止する。【選択図】図２
2008186763.tif 000002
【特許請求の範囲】
【請求項１】
複数の色素増感型太陽電池モジュールが電気的に直列接続され、被覆封止されてなる色素増感型太陽電池パネルシートであって、
前記モジュールは、可撓性の基材上に形成された複数の色素増感型太陽電池セルが電気的に直列接続してなるものであってフレキシブル性を有し、
前記パネルシートは、少なくとも１枚以上の可撓性の樹脂フィルムに、前記複数のモジュールを列状に配置して挟み、電気的に直列接続したものであり、
前記可撓性の樹脂フィルムは、ポリオレフィン系樹脂が最内層に積層された防湿フィルムであり、前記防湿フィルムの周縁は、前記複数のモジュールからなる列全体の配置外形のなす外形枠よりもはみ出しており、前記防湿フィルムが重ね合わさって２枚となっている周縁の少なくとも２箇所には、パネルシートの内外を電気的に接続する金属薄板からなるリード材の貫通している貫通部があり、前記貫通部を含めて、前記防湿フィルムの周縁の全周が、真空加熱による熱シールにより封止されてなることを特徴とする色素増感型太陽電池パネルシート。
【請求項２】
前記リード材の表面には、熱シールに供されるシール部材が部分的に積層されており、前記貫通部においては前記シール部材を挟む前記２枚の防湿フィルムが熱シールにより封止されてなることを特徴とする請求項１に記載の色素増感型太陽電池パネルシート。
【請求項３】
さらに、配置された複数のモジュールの間を隔絶する仕切りが、２枚の重ね合わさった前記防湿フィルムを熱シールして形成されていることを特徴とする請求項１または２に記載の色素増感型太陽電池パネルシート。
【請求項４】
前記防湿フィルムには、最内層に積層されたポリオレフィン系樹脂層の上に、防湿性を有するガスバリア層、ハードコート層、反射防止層、防汚層、紫外線吸収層の少なくとも１層以上が積層されてなることを特徴とする請求項１から３のいずれかに記載の色素増感型太陽電池パネルシート。
【請求項５】
前記シール部材の材質は、ポリオレフィン系樹脂であることを特徴とする請求項２に記載の色素増感型太陽電池パネルシート。
【請求項６】
前記防湿フィルムの最内層に積層されたポリオレフィン系樹脂と、前記シール部材を構成するポリオレフィン系樹脂とが、両方ともポリプロピレン系樹脂であるか、または両方ともポリエチレン系樹脂であることを特徴とする請求項５に記載の色素増感型太陽電池パネルシート。
【請求項７】
前記リード材の材質は、アルミニウム、ニッケル、ステンレス鋼、金属メッキされた銅からなる群の中から選択された１種であることを特徴とする請求項１から６のいずれかに記載の色素増感型太陽電池パネルシート。
【請求項８】
前記リード材の表面には、長さ方向の全長あるいは所定長さに渡って表面処理層が形成され、前記表面処理層の上に前記シール部材が部分的に積層されていることを特徴とする請求項２、５、６のいずれかに記載の色素増感型太陽電池パネルシート。
【請求項９】
前記リード材の表面処理層は、リード材の材質がアルミニウムであればアルマイト処理層であり、リード材の材質がニッケル、ステンレス鋼または金属メッキされた銅のいずれかであれば電解研磨処理層または化学研磨処理層であることを特徴とする請求項８に記載の色素増感型太陽電池パネルシート。
【請求項１０】
複数の色素増感型太陽電池モジュールが電気的に直列接続され、被覆封止されてなる色素増感型太陽電池パネルシートの製造方法であって、
（１）可撓性の基材上に形成された複数の色素増感型太陽電池セルが電気的に直列接続してなるフレキシブル性を有するモジュールを準備する工程と、
（２）少なくとも１枚以上の可撓性の樹脂フィルムであって、ポリオレフィン系樹脂が最内層に積層された防湿フィルムを用いて、複数の前記モジュールを挟み込み、列状に配置して電気的に直列接続する工程と、
（３）前記防湿フィルムの周縁を、モジュール全体の配置外形のなす外形枠よりもはみ出させ、前記防湿フィルムが重ね合わさって２枚となっている周縁の少なくとも２箇所には、パネルシートの内外を電気的に接続する金属薄板からなるリード材を載置する工程と、
（４）１枚の防湿フィルムを用いて半分に折り畳んだ場合は折り目を除く３方の周縁の全周を、あるいは、２枚の防湿フィルムを用いて重ね合わせた場合は４方の周縁の全周を、前記リード材の載置された箇所を含めて、真空排気しながら熱シールして封止する工程と、を含むことを特徴とする色素増感型太陽電池パネルシートの製造方法。
【発明の詳細な説明】
【技術分野】
【０００１】
本発明は、複数の色素増感型太陽電池モジュール（以下、モジュールと略称する場合もある。）を電気的に直列接続してなる色素増感型太陽電池パネルシート（以下、パネルシートと略称する場合もある。）及びその製造方法に関する。さらに詳細には、可撓性の基材上に形成された複数の色素増感型太陽電池セル（以下、セルと略称する場合もある。）を電気的に直列接続してなりフレキシブル性を有するモジュールを使用し、セル及びモジュールの電圧出力の低下防止を図り性能を安定させ、かつ、フレキシブル性を有する色素増感型太陽電池パネルシート及びその製造方法を提供するものである。
なお、本明細書において、色素増感型太陽電池モジュールは、基本構成単位であるセルの複数を電気的に直列接続してなるものである。また、色素増感型太陽電池パネルシートは、複数のモジュールを列状に配置して電気的に直列接続してなるものである。
【背景技術】
【０００２】
従来型のシリコン太陽電池と異なり、色素増感型太陽電池はシリコン（Ｓｉ）などの高価な半導体を用いておらず、比較的安価に製造することができることから、将来の利用が拡大するものと有望視されている。
色素増感型太陽電池の基本構成単位であるセルは、透明基材に設けた透明導電電極（上部電極）と、電解質層と、発色剤層（分光増感色素）と、金属酸化物半導体層と、基材に設けた対電極（下部電極）とから構成されている（例えば特許文献１参照）。
【０００３】
一方、単一の太陽電池セルで得られる起電力は限られていることから、実用的な電圧を取り出すには複数個のセルを直列に電気的に接続してモジュールを形成する必要がある。
色素増感型太陽電池において高い電圧を取り出すには、場合によって、さらに複数個のモジュールを直列に電気的に接続してパネルシートを形成する必要がある。
従来型のシリコン太陽電池の場合には、発電層がシリコン等の固体半導体から構成されるので単一セルの面積を比較的に大きくすることができ、複数のセルを平面的に配置して配線接続することにより、簡単にモジュールを組み立てることができた。
【０００４】
しかし、一般的に、色素増感型太陽電池の場合には発電層に電解液を使用するので、電解質の漏洩を防止するため、セル及びモジュールの封止が必要となると共に、単一セルの面積を大きくすることが性能的に困難であるため、短冊状の幅の狭いセルを連結して密集させたモジュールとする必要があり、従来型の太陽電池に比べて細密化した複雑なモジュール構造となってしまう。
いわば、色素増感型太陽電池のモジュールは、従来型のシリコン太陽電池におけるセルに近い機能と役割を担っていて、本発明の色素増感型太陽電池のパネルシートは、従来型のシリコン太陽電池におけるモジュールに近い機能と役割を担っている。
【０００５】
現在、色素増感型太陽電池を開発している企業各社においては、複数のセルからなるモジュールの構造をどのようにするかを検討している状況であり、複数のモジュールを組み合わせた、色素増感型太陽電池パネルシート（従来型のシリコン太陽電池でのモジュールに相当するもの）の構造に関する公開された技術はほとんど見当たらない。
【０００６】
本出願人は、複数の色素増感型太陽電池セルを電気的に直列接続してなるセルの配線接続構造およびこれを利用した色素増感型太陽電池モジュールに関し、特に、内部構造を簡単にして安価に製造できるようにしたものを既に提案している（特許文献２を参照）。
本発明は、この提案を更に発展させて、複数の色素増感型太陽電池モジュールを組み合わせてなる色素増感型太陽電池パネルシートに関するものである。
【０００７】
ところで、色素増感型太陽電池においては、セルの電極が大気中の水分を吸湿することによって経時的にセルの出力電圧が低下して、セルの性能が劣化する現象が生じるという問題を抱えている。
このため、安定したセル電圧の出力を図るには、色素増感型太陽電池セルおよびモジュールを大気中の水分から遮断して防湿することが必要とされている。
しかし、色素増感型太陽電池のセルおよびモジュールにおいて、大気中の水分を吸湿するのを完全に防止するような完璧な防湿性を持たせるには、封止材の幅寸法を充分に広くする必要があるが、封止材の幅寸法を充分に広くすると、今度は色素増感型太陽電池の単位面積当たりの外部光に対する受光効率が低下してしまうという問題があった。
【０００８】
このため、色素増感型太陽電池セルおよびモジュール、さらには、複数の色素増感型太陽電池モジュールを組み合わせてなる色素増感型太陽電池パネルシートについての効果的な防湿構造が求められていた。
本発明は、複数のモジュールからなるパネルシート全体の防湿構造、特にリード材の取り出し構造に工夫を凝らして防湿性を高める共に厚みを薄くし、セル及びモジュールの電圧出力の低下防止を図り性能を安定させ、かつ、フレキシブル性を有する色素増感型太陽電池パネルシート及びその製造方法を提供することを目的としている。
【０００９】
従来型のシリコン太陽電池のモジュールからリード材を取り出す方法に関しては、各種の提案がなされている（例えば、特許文献３〜６を参照）。
【００１０】
特許文献３には、モジュールの両端に位置する正負の電極に、モジュールの封止工程において加わる温度に耐えうる耐熱性を有するフィルムにより被覆されたリード材の一端を接続し、スリットの設けられた接着層とカバーフィルムを被せると共に、該リード材の他端を前記スリットに通し、その後、前記接着層を溶融固化させることを特徴とする太陽電池モジュールの製造方法が開示されている。
特許文献４には、可撓性の基板の上に形成された複数の太陽電池素子が、少なくとも２枚以上の保護フィルムに挟まれて被覆封止されている太陽電池モジュールをおいて、絶縁シートで封止された接続電極から外部配線を取り出していることが開示されている。
特許文献５には、太陽電池セルが２枚のガラス板に挿入され、耐透水性に優れたＥＶＡのシール層に埋設され、セルの電極に接続された円形の断面形状を有する被覆リード材が、ＥＶＡのシール層から突出させていることが開示されている。
特許文献６には、フレキシブルな電気絶縁性フィルム基板上に形成された薄膜太陽電池に関するものであって、図８では、太陽電池素子および主配線の端子部がＥＶＡなどの充填材で封止されていて、外側を防湿フィルムで覆っていることが開示されている。
【特許文献１】特開平１−２２０３８０号公報
【特許文献２】特開２００６−２４４９５４号公報
【特許文献３】特開平９−３２６４９７号公報
【特許文献４】特開平１０−３２６９０４号公報
【特許文献５】特開２０００−０８２８３４号公報
【特許文献６】特開２００１−０７７３９５号公報
【発明の開示】
【発明が解決しようとする課題】
【００１１】
しかしながら、特許文献３では、被覆したリード材は、カバーフィルム中に設けられている金属箔がリード材と短絡するのを防ぐためであって、太陽電池モジュールの気密性を高めるためではない。また、図６に示されているように、モジュールの面に対して垂直の方向にリード材が立ち上っていることから、モジュールの厚みが増すことは避けられない。
特許文献４では、電極部を封止することにより保護フィルムの内部は気密性を保っているが電極部の配置スペースが必要であり、また、外部リード材は、電極に取り付けられ端子金具に接続されていて、太陽電池モジュールの面に対して垂直方向に配線されていることからモジュール全体の厚みを薄くできないという問題があった。
【００１２】
特許文献５では、可撓性の樹脂フィルムは使用されておらず、また、被覆リード材の断面形状が円形であることから、リード材の厚みを及びモジュール全体の厚みを薄くすることはできない。
特許文献６では、防湿フィルムのみで主配線の端子部を封止しないで、ＥＶＡなどの充填材を用いて太陽電池素子および主配線の端子部を封止しているので、モジュール全体薄くすることができないという問題があった。
【００１３】
このように、従来型のシリコン太陽電池に用いられているモジュールからリード材を取り出す方法を採用したのでは、色素増感型太陽電池パネルシートからリード材を取り出す構造が複雑で部材が厚くなり、パネルシートのフレキシブル性が損なわれるという問題があった。
また、色素増感型太陽電池パネルシートに関しては、パネルシートからリード材を取り出す方法を開示したものが見当たらない。
【００１４】
本発明は、上記事情に鑑みてなされたものであり、複数のモジュールからなるパネルシート全体の防湿構造、特にパネルシートからリード材を取り出す構造に工夫を凝らして防湿性を高める共に厚みを薄くし、セル及びモジュールの電圧出力の低下防止を図り性能を安定させ、かつ、フレキシブル性を有する色素増感型太陽電池パネルシート及びその製造方法を提供することを課題とする。
【課題を解決するための手段】
【００１５】
本発明は、上記の課題を解決するためのものであって、複数の色素増感型太陽電池モジュールが電気的に直列接続され、被覆封止されてなる色素増感型太陽電池パネルシートであって、前記モジュールは、可撓性の基材上に形成された複数の色素増感型太陽電池セルが電気的に直列接続してなるものであってフレキシブル性を有し、前記パネルシートは、少なくとも１枚以上の可撓性の樹脂フィルムに、前記複数のモジュールを列状に配置して挟み、電気的に直列接続したものであり、前記可撓性の樹脂フィルムは、ポリオレフィン系樹脂が最内層に積層された防湿フィルムであり、前記防湿フィルムの周縁は、前記複数のモジュールからなる列全体の配置外形のなす外形枠よりもはみ出しており、前記防湿フィルムが重ね合わさって２枚となっている周縁の少なくとも２箇所には、パネルシートの内外を電気的に接続する金属薄板からなるリード材の貫通している貫通部があり、前記貫通部を含めて、前記防湿フィルムの周縁の全周が、真空加熱による熱シールにより封止されてなることを特徴とする色素増感型太陽電池パネルシートを提供する。
【００１６】
前記リード材の表面には、熱シールに供されるシール部材が部分的に積層されており、前記貫通部においては前記シール部材を挟む前記２枚の防湿フィルムが熱シールにより封止されてなることが好ましい。
さらに、配置された複数のモジュールの間を隔絶する仕切りが、２枚の重ね合わさった前記防湿フィルムを熱シールして形成されていることが好ましい。
前記防湿フィルムには、最内層に積層されたポリオレフィン系樹脂層の上に、防湿性を有するガスバリア層、ハードコート層、反射防止層、防汚層、紫外線吸収層の少なくとも１層以上が積層されてなることが好ましい。
【００１７】
前記シール部材の材質は、ポリオレフィン系樹脂であることが好ましい。
また、前記シール部材は、前記リード材の横幅方向に、片側ずつ０．５〜１５ｍｍの長さで前記リード材の横幅からはみ出していることが好ましい。熱シール処理する横方向の寸法幅は、３〜１５ｍｍであることが好ましい。
【００１８】
また、前記防湿フィルムの最内層に積層されたポリオレフィン系樹脂と、前記シール部材を構成するポリオレフィン系樹脂とが、両方ともポリプロピレン系樹脂であるか、または両方ともポリエチレン系樹脂であることが好ましい。
前記リード材の材質は、アルミニウム、ニッケル、ステンレス鋼、金属メッキされた銅からなる群の中から選択された１種であることが好ましい。
前記リード材の表面には、長さ方向の全長あるいは所定長さに渡って表面処理層が形成され、前記表面処理層の上に前記シール部材が部分的に積層されていることが好ましい。
【００１９】
前記リード材の表面処理層は、リード材の材質がアルミニウムであればアルマイト処理層であり、リード材の材質がニッケル、ステンレス鋼または金属メッキされた銅のいずれかであれば電解研磨処理層または化学研磨処理層であることが好ましい。
【００２０】
また、本発明は、複数の色素増感型太陽電池モジュールが電気的に直列接続され、被覆封止されてなる色素増感型太陽電池パネルシートの製造方法であって、
（１）可撓性の基材上に形成された複数の色素増感型太陽電池セルが電気的に直列接続してなるフレキシブル性を有するモジュールを準備する工程と、
（２）少なくとも１枚以上の可撓性の樹脂フィルムであって、ポリオレフィン系樹脂が最内層に積層された防湿フィルムを用いて、複数の前記モジュールを挟み込み、列状に配置して電気的に直列接続する工程と、
（３）前記防湿フィルムの周縁を、モジュール全体の配置外形のなす外形枠よりもはみ出させ、前記防湿フィルムが重ね合わさって２枚となっている周縁の少なくとも２箇所には、パネルシートの内外を電気的に接続する金属薄板からなるリード材を載置する工程と、
（４）１枚の防湿フィルムを用いて半分に折り畳んだ場合は折り目を除く３方の周縁の全周を、あるいは、２枚の防湿フィルムを用いて重ね合わせた場合は４方の周縁の全周を、前記リード材の載置された箇所を含めて、真空排気しながら熱シールして封止する工程と、を含むことを特徴とする色素増感型太陽電池パネルシートの製造方法を提供する。
【００２１】
本発明は、上記の課題を解決するためのものであって、上記に記載の色素増感型太陽電池パネルシート及びその製造方法を提供するものである。
【発明の効果】
【００２２】
本発明によれば、複数のモジュールからなるパネルシート全体の防湿構造、特にリード材の取り出し構造に工夫を凝らして、簡単な構造であってもリード材の取り出し構造の気密性を向上させて防湿性を高める共に厚みを薄くし、セル及びモジュールの電圧出力の低下防止を図り性能を安定させ、かつ、フレキシブル性を有する色素増感型太陽電池パネルシート及びその製造方法を提供することができる。
パネルシートのリード材の取り出し構造を簡単にすることにより、製造コストを低減することが可能である。
また、色素増感型太陽電池パネルシート全体の厚みが薄くてフレキシブル性を損なわないので、本発明の色素増感型太陽電池パネルシートを個人向けの可搬式太陽電池電源として用いると手提げバッグなどへの収納が容易となり使い易くなる。
【発明を実施するための最良の形態】
【００２３】
以下、最良の形態に基づき、図面を参照して本発明を説明する。
図１および図２は、本発明の色素増感型太陽電池パネルシート及びパネルシートからリード材を取り出す貫通部の構造の第１形態例を示す図面である。図１は色素増感型太陽電池パネルシートからリード材を取り出す貫通部の構造を示す図面であり、図１（ａ）は図２（ａ）の一点鎖線で囲む円（Ｃ）部分の平面図、図１（ｂ）は図１（ａ）のＡ−Ａ線に沿う断面図、図１（ｃ）は図１（ａ）のＢ−Ｂ線に沿う断面図である。図２は色素増感型太陽電池パネルシートの一例を示す図面であり、図２（ａ）は平面図、図２（ｂ）は図２（ａ）のＤ−Ｄ線に沿う断面図である。
なお、図１および図２においては、上部側の防湿フィルム４が透明性を有するものとして、パネルシート内部のリード材１、モジュール３、モジュール間の接続配線２を実線で描いてある。また、図１（ａ）および図２（ａ）では、ヒートシール部分の箇所を明確にするため、ヒートシール部分６に斜線（ハッチング）を付した。
【００２４】
図１に示すように、色素増感型太陽電池パネルシート１０のリード材１は金属薄板からなり、このリード材１の表面には、長さ方向の所定長さに渡って表面処理層７が形成され、この表面処理層の上にはシール部材８が部分的に積層されている。表面処理層７が形成される長さは、ヒートシール部分６の幅よりも長くされ、ヒートシール部分６に挟み込まれた部分においては表面処理層７に対してシールがなされている。
【００２５】
色素増感型太陽電池パネルシート１０の可撓性を有する上部側の防湿フィルム４と、下部側の防湿フィルム５にて、金属薄板からなるリード材１を被覆しているシール部材８が熱シールにて封止されている。
なお、パネルシートが、１枚の防湿フィルムを用いて半分に折り畳んで形成される場合には、折り目を除いてパネルシートの３方の周縁の全周を、あるいは、２枚の防湿フィルムを用いて重ね合わせて形成される場合には、パネルシートの４方の周縁の全周を、パネルシートからリード材が貫通している貫通部を含めて真空排気しながら熱シールして封止される。
【００２６】
図２に示すように、この色素増感型太陽電池パネルシート１０は、複数の色素増感型太陽電池モジュール３，３，…を直列に接続してなる色素増感型太陽電池パネルシートであり、可撓性を有する上部側の防湿フィルム４と、下部側の防湿フィルム５の間に挟まれたモジュール３，３を、ヒートシール６にて封止したものである。色素増感型太陽電池パネルシート１０の防湿フィルム４，５の周縁を封止してなる袋体の内外は、リード材１，１により接続配線されている。
【００２７】
（防湿フィルム）
前記防湿フィルムには、最内層にポリオレフィン系樹脂が積層されていることが好ましい。防湿フィルムの最内層に使用されるポリオレフィン系樹脂は、ポリプロピレン系樹脂またはポリエチレン系樹脂のいずれかであることが好ましい。
上記ポリオレフィン系樹脂には、例えば無延伸ポリプロピレン（ＣＰＰ）等のポリプロピレンや低密度ポリエチレン（ＬＤＰＥ）、直鎖状低密度ポリエチレン（ＬＬＤＰＥ）等のポリエチレン、及びこれらにカルボキシル基が導入されたもの（アイオノマーや酸変性ポリオレフィン等）が使用可能である。
また、最内層に積層されたポリオレフィン系樹脂層の上には、防湿性を有するガスバリア層、ハードコート層、反射防止層、防汚層、紫外線吸収層の少なくとも１層以上が積層されていることが好ましい。
【００２８】
本防湿フィルムは、ハードコート層を設けたことによりフィルムの傷付を防止し、さらに反射防止層により外部光の反射を低下させることが出来る。最外層に防汚層を設けることにより、パネルシート表面の汚れを防止することが出来る。また、紫外線吸収層を設けることにより、モジュールを構成する樹脂の耐久性を高めることが可能となる。
紫外線吸収層を設ける場合は、ハードコート層や、フィルムを積層する際に使用される粘着剤層に紫外線吸収剤を混合してもよく、あるいは、オレフィン系樹脂が最内層に積層された防湿フィルム内に紫外線吸収剤を練り込んでもよい。
【００２９】
本発明における防湿フィルムの構成としては、単層フィルムでもよく、積層フィルムでもよい。単層フィルムによる防湿フィルムの場合は、少なくとも最内層にポリオレフィン系樹脂を用い、その上に酸化アルミニウム、酸化珪素などの金属酸化物の蒸着膜をコーティングして透明蒸着膜からなるガスバリア層を形成したものが好ましい。
積層フィルムの場合は、少なくとも最内層にポリオレフィン系樹脂を用い、防湿性を有するフィルムを積層するか、防湿性を有するガスバリア層を積層したフィルムを積層してもよい。
【００３０】
光入射側となる、上部側の防湿フィルム４は、ポリオレフィン系樹脂が最内層に積層されており、さらに防湿性を有するガスバリア層が積層されていて、可視領域で透明性を有し、一般に全光線透過率が９０％以上のものが好ましい。
この場合のガスバリア層として使用される防湿性を有する樹脂フィルムは、透明で、かつ水分透過率の小さいプラスチックフィルムが用いられ、ふっ素系全般、ポリメチルメタクリレート、ポリアリレート、ポリエチレンナフタレート、ポリサルホン、ポリエーテルサルホン、ポリ塩化ビニル、ポリカーボネートあるいはポリフェニレンサルファイド等のフィルムが挙げられる。
【００３１】
また、光入射側と反対面の、下部側の防湿フィルム５は、ポリオレフィン系樹脂が最内層に積層されており、さらに防湿性を有するガスバリア層が積層されているが、必ずしも透明である必要はない。
この場合のガスバリア層として使用される防湿性を有するフィルムは、たとえば、上記フィルムの他に、アルミニウム等の金属箔をプラスチックフィルムでサンドイッチしたものを用いることもできる。このような金属箔をラミネートしたフィルムによれば、プラスチックフィルム自体は若干水分透過率の大きいものでも、プラスチックフィルムでサンドイッチされた金属箔により、侵入してくる水分を遮断することができる。
【００３２】
これまで、防湿性を有するフィルムとして、ＯＰＰ（２軸延伸ＰＰフィルム）、ＯＮＹ（２軸延伸ナイロンフィルム）、ＰＥＴフィルムなどの基材フィルムにポリ塩化ビニリデン（ＰＶＤＣ）をコートしたフィルムが、最も汎用的に使用されてきた。しかし、含塩素材料であるため焼却時のダイオキシン発生が環境問題となってきているため、代わりとして、金属酸化物を蒸着した透明蒸着フィルムや共押出ナイロン多層フィルム等を用いるのが好ましい。
【００３３】
アルミナ蒸着フィルムは、フィルム基材の上に酸化アルミを蒸着したもので、透明な蒸着層により酸素と水蒸気の透過を抑制し、高いバリア性を持つフィルムである。
さらに、焼却処理時に有毒ガスを発生させず、かつ焼却残渣も殆ど出ないため、環境適性に優れている。フィルム基材としては、主として、ＰＥＴフィルムを用いるが、２軸延伸ナイロンフィルムを用いてもよい。
【００３４】
シリカ蒸着フィルムは、基材フィルムに酸化ケイ素（ＳｉＯＸ）を蒸着コーティング加工したフィルムで、アルミ箔並のバリア性を有する高機能フィルムである。アルミナ蒸着フィルム同様、焼却による有害ガス発生や残渣が殆ど無いなど環境対応型フィルムといえる。基材フィルムとしては、主にＰＥＴフィルムを用いるが、シール強度、耐衝撃性、耐ピンホール性などに優れる２軸延伸ナイロンフィルムを用いてもよい。
【００３５】
ＯＮＹ系共押出フィルムは、ナイロンとバリア性樹脂を共押出し共延伸したフィルムで、環境問題より「脱塩素」が要求されるＰＶＤＣコートフィルム、ＰＶＤＣ押出フィルムの代替品として用いられる。高バリア性、高強度に加え、高い印刷性や優れた耐熱性があり、シリカ蒸着フィルム同様に汎用されている。
【００３６】
リード材１を用いて、パネルシートの内外を電気的に接続する貫通部を形成するに際しては、少なくとも１枚以上の最内層にオレフィン系樹脂が積層された防湿フィルム４，５の間に、複数の色素増感型太陽電池モジュールを挟み、リード材１の一部に施された表面処理層７をシール部材８で被覆し、熱シールにより封止される。
特に、シール部材８と防湿フィルム４，５の最内層に積層された樹脂とが、いずれもオレフィン系樹脂、特にポリプロピレン系樹脂またはポリエチレン系樹脂を含有している場合には、接着強度が更に向上する。すなわち、本実施形態によれば、リード材１と防湿フィルム４，５との接着部の気密性が維持され、防湿性が向上するので、色素増感型太陽電池モジュールの出力低下の低減を図ることができる。
【００３７】
上記ハードコート層は、例えば、基材上にハードコート組成物をマイクログラビアコーター等で塗工し、紫外線硬化させることによって形成することができる。上記ハードコート層の膜厚は２〜２０μｍとなるように塗工速度を調節することが好ましい。さらに、基材とハードコート層との密着性を高めるために、基材の表面にコロナ放電処理が施されてもよい。
【００３８】
上記ハードコート組成物として、好ましくは多官能アクリレートとシリカ粒子及び／又はポリシロキサンとを混合したものが挙げられる。
上記多官能アクリレートとしては、例えば、ジペンタエリスリトールトリ（メタ）アクリレート、トリメチロールプロパントリ（メタ）アクリレート等が挙げられる。
上記シリカ粒子としては、汎用のものが使用できるが、粒径が小さくなるとハードコート組成物の粘度が高くなるため塗工が困難になり、粒径が大きくなると塗工後のヘイズ値が下がり透明性が低下するので、粒径０．１〜１μｍが好ましい。
【００３９】
反射防止層は、色素増感型太陽電池パネルシートの外側から入射する外光の可視光線の反射を防ぐためのものであって、最表面に低屈折率層を設けることが必須である。単層の場合は、防湿フィルムの最内層に積層されたポリオレフィン系樹脂に比べて屈折率の低い物質、例えばポリシロキサン構造を有するフッ素含有有機化合物等の薄膜を形成する。
低屈折率層の屈折率は、１．２０〜１．５５であることが好ましく、１．３０〜１．５５であることがさらに好ましい。低屈折率層の厚さは、８０〜２００ｎｍであることが好ましい。また多層からなる場合は、最内層に積層されたポリオレフィン系樹脂に比べて高屈折率の物質、例えば酸化チタンの蒸着薄膜と、最内層に積層されたポリオレフィン系樹脂に比べて低屈折率の物質、例えば酸化ケイ素の薄膜を交互に積層する。このような金属酸化物薄膜の形成方法は特に限定されず、スパッタリング法、真空蒸着法、湿式塗布法により、酸化ジルコニウム、スズをドープした酸化インジウム（ＩＴＯ）、酸化ケイ素等の薄膜を形成することができる。
【００４０】
上記の反射防止層の表面に、更に防汚層を形成することができる。防汚層は、パネルシートの表面にごみや汚れが付着するのを防ぐためのものであって、特に指紋汚れなどの人体からの油汚れに対する拭き取り性に優れたものとして、撥水性、撥油性を有する素材からなる層である。このような性能を持つものとしては、例えば、公知のフッ素を含有する低表面エネルギーの化合物が好ましく、具体的にはフッ化炭化水素基を含有するシリコン化合物、フッ化炭化水素基含有ポリマーが挙げられる。
防汚層の厚さは、できる限り薄い方が望ましく、１〜５０ｎｍ程度の厚さが好ましい。防汚層の厚さが５０ｎｍより厚いと、成膜不良が生じて好ましくない。防汚層の形成方法としては、リバースコート法、ダイコート法、グラビアコート法、ＣＶＤ法等の従来公知の方法が使用できる。
【００４１】
紫外線吸収層を設ける場合は、ハードコート層や、フィルムを積層する際に使用される粘着剤層に紫外線吸収剤を混合してもよく、あるいは、最内層にオレフィン系樹脂が積層された防湿フィルム内に紫外線吸収剤を練り込んでもよい。
前記紫外線吸収剤は、具体的には、２，４−ジヒドロキシ−ベンゾフェノン、２−ヒドロキシ−４−メトキシベンゾフェノン、４−ドデシロキシ−２−ヒドロキシベンゾフェノン、２−ヒドロキシ−４−メトキシ−５−スルフォベンゾフェノン、２−（２−ヒドロキシ−５−メチルフェニル）ベンゾトリアゾール、２−（２−ヒドロキシ−３，５−ジターシャルブチルフェニル）ベンゾトリアゾール、フェニルサリシレイト、ｐ−オクチルフェニルサリシレイト、ｐ−ターシャルブチルフェニルサリシレート等の有機系紫外線吸収剤、酸化セシウム、酸化チタン、酸化亜鉛等の無機系紫外線吸収剤を用いることができる。なかでも紫外線吸収効率が高いベンゾフェノン系化合物が好適に用いられる。また紫外線吸収剤は、１種単独または複数種を添加して用いることができる。
【００４２】
これらの紫外線吸収剤は、４５０ｎｍ以下、望ましくは４３０ｎｍ以下に吸収波長領域を持つことが望ましい。４５０ｎｍ以上に吸収波長領域を持つと、可視光域を吸収することになり、色素増感型太陽電池パネルシート内の発電層に到達する有効な可視光線の光量が少なくなる。
紫外線吸収剤をフィルム形成剤に添加する量は、０．０５〜１０重量部、望ましくは０．１〜８重量部がよい。０．０５重量部未満では紫外線吸収量が小さいので添加した効果が小さい。１０重量部を超えると紫外線吸収剤の析出、しみ出し、べとつきや、フィルムの着色などの問題が生じる。またこれらの紫外線吸収剤の４５０ｎｍ以下、望ましくは４３０ｎｍ以下の紫外線透過率は、透過率６０％以下、更には４０％以下が望ましい。透過率が６０％を超えると、紫外線吸収層を設置した効果が小さい。
【００４３】
（リード材の材質、寸法）
リード材の材質は、アルミニウム、ニッケル、ステンレス鋼、金属メッキされた銅からなる群の中から選択された１種である。
一般的には、リード材の材質は、導電性の点から、銅、あるいはアルミニウムを用いることが多いが、本発明の色素増感型太陽電池パネルシートのリード材においては、パネルシートの内部に収納するモジュールを構成するセルの内部に腐食性の電解液を使用していることから、万一、パネルシートの内部に電解液が漏洩した場合を想定すると、リード材の材質は、なるべく耐食性のより優れたニッケル、ステンレス鋼、ニッケルメッキまたはクロムメッキされた銅を用いるのがより好ましい。
リード材の寸法は、可撓性を有する必要があることからなるべく厚みが薄い方が望ましく、横幅寸法２．０〜２０ｍｍ、厚み０．０１〜１．５ｍｍであることが好ましい。さらに好ましくは、横幅寸法２．０〜１２ｍｍ、厚み０．０１〜０．５ｍｍである。
【００４４】
（リード材の表面処理）
図１に示すように、リード材１の表面の一部は、表面処理層７が形成されていることが好ましい。なお、リード材１の表面処理層７は、リード材の材質がアルミニウムであればアルマイト処理層であり、リード材１の材質がニッケル、ステンレス鋼または金属メッキされた銅のいずれかであれば電解研磨処理層または化学研磨処理層であることが好ましい。リード材１に表面処理層７を形成することで、表面の平滑性が増して、リード材１とリード材１の一部分を被覆するシール部材８との密着性を向上させることができる。
【００４５】
リード材の材質がアルミニウムであれば、アルマイト処理（陽極酸化被膜処理）等の表面処理を施すと耐食性が向上するので好ましい。この表面処理層は、上記水和酸化物層表面の陽極酸化により形成される化成処理層であってもよいし、アルミニウムの陽極酸化またはクロメート処理により形成された化成処理層としてもよい。アルミニウムの表面に自然に生成する酸化皮膜は非常に薄いものであるが、人工的に厚くて強固な酸化皮膜をつくる電気化学的表面処理は、アルマイト処理（陽極酸化被膜処理）にて行う。
実際には、電解液（酸液）の中で、アルミニウムを陽極として弱い直流、交流または、交直流の電流を流して電気分解すると、アルミニウムの表面に酸化皮膜が形成される。この電解分解が、“アルミニウムのアルマイト処理（陽極酸化被膜処理）”と言われる。表面処理層７の形成に先立ち、リード材１を構成するアルミニウム薄板の表面に形成された酸化皮膜を除去する除去処理を施すことが望ましい。
【００４６】
リード材の材質がニッケル、ステンレス鋼または金属メッキされた銅のいずれかであれば電解研磨処理層を形成するのが好ましい。
電解研磨は、金属表面の微細な凹凸の凸部を凹部よりも先に溶解させ、平滑な光沢面を得るものである。電解液中に浸した電極と電解研摩対象物に電圧を印加する方法により、陽極（＋極）側の電解研摩対象物を研磨する。電解研摩対象物の表面に形成される粘性液層の働きによって、ミクロ凸部での加工速度がミクロ凹部よりも大きくなるために表面粗さが次第に改善され、平滑な処理面が得られる。したがって、電解処理液には、粘性の高い硫酸、燐酸、クロム酸、硝酸などが使われる。このため、電解処理後には、水洗処理を充分に行ない、電解処理液を洗い流さないと研摩面が荒れてしまう。電解処理液を洗浄するための水洗後は、更にアルカリでの中和処理を行い、最後に仕上げの水洗処理を行うのが良い。
【００４７】
さらに、リード材の材質がニッケル、ステンレス鋼または金属メッキされた銅のいずれかであれば化学研磨処理層を形成するのも好ましい方法である。化学研磨処理の方法は、強酸、強アルカリなどの薬品、例えば過酸化水素と硫酸を主成分とする金属表面処理剤を用いて金属を化学的に溶解する方法である。一般に、化学研摩処理を行うと、金属の表面が平滑にされると共に、酸化皮膜などの皮膜層を生じて耐食性が向上するので好ましい。化学研摩処理の場合、電気を使用しないで化学研摩処理剤の液体中に金属を浸漬させるだけで処理が行えるため、複雑な形状、線、箔なども容易に化学研磨処理ができる特徴を有する。
【００４８】
（シール部材）
図１，図２に示すように、金属薄板からなるリード材１の上には、合成樹脂からなるシール部材８が部分的に積層され、このシール部材８が、色素増感型太陽電池パネルシート１０を構成する重なり合う２枚の防湿フィルム４，５にて熱シールにより封止されている。
シール部材８の材質は、ポリプロピレン系樹脂またはポリエチレン系樹脂のいずれかであることが好ましい。シール部材８の寸法は、金属薄板からなるリード材１の横幅方向に、片側ずつ０．５〜１５ｍｍの長さでリード材１の横幅からのはみ出し代を有していることが好ましい。シール部材８が一定のはみ出し代を有する方が、防湿フィルム４，５とシール部材８との熱シールが安定して行なうことができる。シール部材８のはみ出し代が０．５ｍｍより狭い場合は、リード材１の横幅方向の端部と防湿フィルムとの間に隙間が生じやすい。また、シール部材８のはみ出し代が１５ｍｍより広い場合は、シール部材８が折れ曲がり易くなり作業性が低下するので好ましくない。
シール部材８は、厚み０．０３〜０．３ｍｍのポリプロピレン系樹脂またはポリエチレン系樹脂のいずれかの薄板またはフィルムを用いるのが好ましい。また、防湿フィルム４，５の最内層に積層されたポリオレフィン系樹脂がポリプロピレン系樹脂である場合には、シール部材８の材質もポリプロピレン系樹脂とし、防湿フィルム４，５の最内層に積層されたポリオレフィン系樹脂がポリエチレン系樹脂である場合には、シール部材８の材質もポリエチレン系樹脂とすることが好ましい。
【００４９】
（シール部材を積層する時、リード材に施す下地処理）
リード材１にシール部材８を積層するに当たっては、リード材１とシール部材８との密着力を向上させるため、リード材１の表面に部分的に形成された表面処理層７の上に、接着剤、ヒートシール剤、接着性樹脂等を用いて、樹脂被膜を形成する下地処理を施すのが好ましい。この樹脂被膜としては、特に、酸変性ポリオレフィン系接着剤やエポキシ系接着剤等を使用するのが好ましい。上記酸変性ポリオレフィン系接着剤は、エチレンやプロピレンを主鎖に持つ重合体や、エチレンやプロピレンと他のモノマーとの共重合体をカルボン酸等により酸変性させ、必要に応じ溶剤に分散させてなるもので、具体的には、ポリエチレンやポリプロピレンを無水マレイン酸等で変性させたフィルム（商品名アドマーフィルム）や、これら酸変性ポリオレフィンを高沸点脂肪族炭化水素に分散させてなる接着剤が使用可能である。
【００５０】
このような接着剤は、例えば金属箔と樹脂層との熱接着に使用されるヒートシール用フィルムやヒートシール剤として公知のもので、医薬品用包装材であるＰＴＰ（プレススルーパック）用のヒートシール剤としても使用されている。一方、エポキシ系接着剤を使用する場合、クロム化合物が添加されたエポキシ系塗料を接着剤として用いると、良好な接着性が得られる。なお、これら接着剤の塗工量は、通常、乾燥重量で０．１〜５ｇ／ｍ２程度が適当である。
【００５１】
更に、表面処理層と下地処理層との接着には、ドライラミネートや押出ラミネート、または表面処理層への接着剤コーティング後の熱接着等あらゆる公知の方法が使用可能である。表面処理層側を向く面を無水マレイン酸等で変性させた樹脂層を表面処理層に直接熱接着し、下地処理層としてもよい。
【００５２】
一方、下地処理層の一部を合成樹脂からなるシール部材８で被覆する方法には、例えばフィルム状の樹脂を直接熱接着するサーマルラミネートや、溶融した樹脂を直接積層する押出ラミネート等がある。特に、オレフィン系樹脂を溶融押出しして樹脂層を形成しつつ加熱状態で圧着し、下地処理層に接着すると高い接着強度が得られる。
【００５３】
また、接着性向上のためには、下地処理層とシール部材８（及び後述するパネルシートの上部側、下部側の防湿フィルムの最内層に積層された樹脂）が、同種のオレフィン系樹脂を含有していることが望ましい。上記オレフィン系樹脂には、例えばポリプロピレンやＬＤＰＥ、ＬＬＤＰＥ等のポリエチレン、及びこれらにカルボキシル基が導入されたもの（アイオノマーや酸変性ポリオレフィン等）が使用可能であるが、耐熱性及び熱シール時の安定性や接着強度等を考慮すると、下地処理層とシール部材８（及びパネルシートの上部側、下部側の防湿フィルムの最内層に積層された樹脂）とが、いずれもポリプロピレン系樹脂を含有していることが特に望ましい。
【００５４】
リード材１を用いて、パネルシートの内外を電気的に接続する貫通部を形成するに際しては、少なくとも１枚以上の最内層にオレフィン系樹脂が積層された防湿フィルム４，５の間に、複数の色素増感型太陽電池モジュール３，３，３を挟み、リード材１の一部に施された表面処理層および／または下地処理層の上にシール部材８を被覆し、防湿フィルム４，５の最内層に積層されたオレフィン系樹脂およびシール部材８による熱シールにより封止される。
【００５５】
本出願人は、複数の色素増感型太陽電池セルを電気的に直列接続してなるセルの配線接続構造およびこれを利用した色素増感型太陽電池モジュールに関し、特に、内部構造を簡単にして安価に製造できるようにしたものを既に提案している（特許文献２を参照）が、この場合、モジュールの厚みは、０．３〜２．０ｍｍ程度であって、フレキシブル性を有するものを製作することが可能であった。したがって、これらのフレキシブル性を有するモジュールを複数で用い、厚み３０〜２００μｍ程度の防湿フィルムを用いて封止された色素増感型太陽電池パネルシート全体の厚みは、０．４〜２．５ｍｍ程度に抑えられ、フレキシブル性を維持させることが可能である。
【００５６】
一方、下地処理層とシール部材８及びシール部材８と防湿フィルム４、５の最内層とは、いずれも樹脂同士の熱シールにより強固に接着される。特に、下地処理層とシール部材８及び防湿フィルム４，５の最内層に積層された樹脂とが、いずれもオレフィン系樹脂、特にポリプロピレン系樹脂またはポリエチレン系樹脂を含有している場合には、この接着強度が更に向上する。すなわち、本実施形態によれば、リード材１と防湿フィルム４，５との接着部の気密性が維持され、色素増感型太陽電池モジュールの出力低下を防止することができる。
【００５７】
しかも、このようにリード材１には部分的に予めシール部材８を積層しておくことにより、防湿フィルム４，５の熱シールに際し、この部分に十分な厚さの樹脂層が存在することとなる。その結果、図１（ｃ）に示すように、リード材１を囲むシール部材８の樹脂がリード材１の側方にも回り込みやすくなってリード材１に対するシール性が向上するので、防湿フィルム４，５の最内層に積層される樹脂が薄くても、確実な熱シールが可能となる。更に、防湿フィルム４，５の最内層に積層される樹脂の選定に際しても、リード材１の周囲が下地処理層及びシール部材８により覆われているので、格別な注意を払うことなく、広範な選択肢からの選択が可能となる。
【００５８】
また、表面処理層７の形成によりリード材１と下地処理層とが強固に接着されているため、リード材１と下地処理層との界面からの水分の透過が防止され、かつ下地処理層と防湿フィルム４，５の最内層に積層された樹脂とが、両者が含有する樹脂同士により接着される。
【００５９】
本形態例の構成によれば、極めて簡単な構造をしたシール部材８を用いてリード材１の一部分を被覆し、さらに、このシール部材８に対して、色素増感型太陽電池パネルシートを構成する防湿フィルム４，５を用いて熱シールにより封止するので、リード材１の取り出し構造を簡単にできる。このため、パネルシート全体の厚みを薄くしてフレキシブル性を損なわないようにすることができる。
【００６０】
パネルシートからリード材１を取り出す構造を簡単にすることにより、製造コストを低減することが可能である。
本発明により、複数のモジュールからなるパネルシート全体の防湿構造、特にパネルシートからリード材を取り出す構造に工夫を凝らして防湿性を高める共に、厚みを薄くし、セル及びモジュールの電圧出力の低下防止を図り性能を安定させ、かつ、フレキシブル性を有する色素増感型太陽電池パネルシート及びその製造方法を提供することができる。
【００６１】
以上、本発明を好適な実施の形態に基づいて説明してきたが、本発明は上述の形態例に限定されるものではなく、本発明の要旨を逸脱しない範囲で種々の改変が可能である。
例えば、色素増感型太陽電池パネルシートからのリード材取り出しは、同じ方向から２本取り出しているが、特にこれに限定される必要はない。
例えば、左右の異なる方向に１本ずつリード材を取り出してもよい。これ以外にも、左右に２本ずつのリード材を取り出す構成を採用することも可能である。
【００６２】
また、図２に示す、第１形態例の色素増感型太陽電池パネルシート１０においては、複数個のモジュール３を横に一列で３個のみ連設したが、複数個のモジュール３を縦及び横に複数列を配設し、これらを順に直列接続することも可能である。
【産業上の利用可能性】
【００６３】
本発明を用いると、色素増感型太陽電池パネルシートからリード材を取り出す構造が簡単になるので、パネルシート全体の厚みを薄くしてフレキシブル性を損なわないようにすることが可能となり、個人向けの可搬式太陽電池電源として用いると手提げバッグなどへの収納が容易となり使い易くなる。
【図面の簡単な説明】
【００６４】
【図１】色素増感型太陽電池パネルシートからリード材を取り出す貫通部の構造を示す図面であり、（ａ）は図２（ａ）の一点鎖線で囲む円（Ｃ）部分の平面図、（ｂ）は（ａ）のＡ−Ａ線に沿う断面図、（ｃ）は（ａ）のＢ−Ｂ線に沿う断面図である。
【図２】色素増感型太陽電池パネルシートの一例を示す図面であり、（ａ）は平面図、（ｂ）は（ａ）のＤ−Ｄ線に沿う断面図である。
【符号の説明】
【００６５】
１…リード材、２…モジュール（色素増感型太陽電池モジュール）間の接続配線、３…モジュール（色素増感型太陽電池モジュール）、４…パネルシートの上部側の防湿フィルム、５…パネルシートの下部側の防湿フィルム、６…パネルシートの熱シール部、７…リード材の表面処理した部分（表面処理層）、８…シール部材、１０…パネルシート（色素増感型太陽電池パネルシート）。
【図１】
2008186763.tif 000003
【図２】
2008186763.tif 000004